(57)【要約】無線通信システムにおけるリピータを較正する方法およびシステムが提供される。リピータのための１つ以上の較正パラメーターは、（ａ）リピータにより中継される１つ以上の信号から導き出され、複数の異なる測定位置において受信される時間測定結果、および(ｂ)測定場所の位置から導き出される。１つのアプリケーションにおいて、１つ以上のパラメータが、無線通信システムにおける加入者局の位置を決定するのに使用される。
2005538357.tif 000002
【特許請求の範囲】
【請求項１】
下記を具備する、無線通信システムにおいてリピータを較正する方法：
起源送信器により送信され、リピータにより中継される信号を複数の異なる測定場所で受信する；
前記受信信号の各々から時間測定を導き出す、各時間測定は、前記起源送信器による信号の送信と、前記測定場所における信号の到着との間の時間を表す；および
（ａ）時間測定結果から、および(ｂ)前記測定場所の位置から前記リピータのための１つ以上の較正パラメータを導き出す。
【請求項２】
前記１つ以上の較正パラメータは、前記リピータの時刻補正、および前記リピータの位置を含む、請求項１の方法。
【請求項３】
前記１つ以上の較正パラメータを記憶することをさらに具備する、請求項１の方法。
【請求項４】
前記複数の異なる測定場所は、４つ以上の異なる測定場所を含む、請求項１の方法。
【請求項５】
前記測定場所の連続する時間測定で連続的に受信される信号から前記時間測定結果が連続的に導き出される、請求項１の方法。
【請求項６】
前記時間測定結果は、前記測定場所において同時に受信された信号から同時に導き出される、請求項１の方法。
【請求項７】
前記測定場所は固定されあらかじめ決められている、請求項１の方法。
【請求項８】
前記測定場所の位置は、前記測定場所の連続する位置において、連続的に配置されたＧＰＳ受信器を用いて連続的に導き出される、請求項１の方法。
【請求項９】
時間測定は４つの異なる測定場所で得られ、ｍi、１＜ｍ＜４と呼ばれ、測定場所の各々は、座標（ｘi,ｙi,ｚi)を有する位置を有し、およびリピータのための時刻補正およびリピータの位置の座標（ｘR,ｙR,ｚR)は、
【数１】
2005538357.tif 000008
として表してもよい４つの方程式を解くことにより導き出される、但しｃは光速である、請求項２の方法。
【請求項１０】
前記１つ以上の較正パラメータは、データベースに記憶される、請求項３の方法。
【請求項１１】
前記データベースは、複数のリピータの各々のための１つ以上の較正パラメータを含む、請求項１０の方法。
【請求項１２】
前記時間測定は、測定装置を備えたエリアを乗り回すことにより連続的に得られ、前記測定装置を用いて測定場所の連続する場所で測定結果を連続的に得る、請求項５の方法。
【請求項１３】
前記測定装置はＧＰＳ受信器を含み、前記測定場所の位置は、前記測定装置内のＧＰＳ受信器を用いて、前記測定場所の連続する場所の位置を連続的に得ることにより、連続的に得られる、請求項１２の方法。
【請求項１４】
前記時間測定結果は、複数の分散された測定装置から同時に得られる、請求項６の方法。
【請求項１５】
前記測定装置は、ＧＰＳ受信器を含み、前記測定場所の位置は、前記複数の分散された測定装置に含まれる前記ＧＰＳ受信器から同時に得られる、請求項１４の方法。
【請求項１６】
前記測定場所において受信された信号はすべて同じ送信器から源を発する、請求項１の方法。
【請求項１７】
下記を具備する、リピータを採用する無線通信システムにおいて、加入者局の位置を決定する方法：
加入者局においてコンポジット信号を受信する、前記コンポジット信号は、符号定数を有し、１つ以上の成分信号を含む；
成分信号がリピータにより中継されたかどうかを前記コンポジット信号の符号定数から決定する；
前記成分信号が前記リピータにより中継されたなら、前記リピータのための１つ以上の較正パラメータを得る；および
前記リピータのための１つ以上の較正パラメータに少なくとも一部基づいて前記加入者局の位置を決定する。
【請求項１８】
前記１つ以上の較正パラメータは、前記リピータの時刻補正、および前記リピータの位置を具備する、請求項１７の方法。
【請求項１９】
前記１つ以上の較正パラメータは、データベースから検索される、請求項１７の方法。
【請求項２０】
前記データベースは、複数のリピータのための１つ以上の較正パラメータを含む、請求項１９の方法。
【請求項２１】
前記成分信号は基準ソースに端を発する、請求項１７の方法。
【請求項２２】
前記基準ソースは、無線通信システム内の基地局である、請求項２１の方法。
【請求項２３】
前記基準ソースはＧＰＳ衛星である、請求項２１の方法。
【請求項２４】
前記１つ以上の較正パラメータは、前記基準ソースのためのＰＮコードを用いて検索される、請求項２１の方法。
【請求項２５】
前記１つ以上の較正パラメータは、前記リピータのための時刻補正τTおよび前記リピータの位置を具備する、請求項２４の方法。
【請求項２６】
時間測定τoは前記成分信号から導き出され、前記時間測定は、前記基準ソースにより信号の送信と、前記加入者局により前記信号の受信との間の時間を表し、この時間測定は、前記リピータのための時刻補正τTを用いて補正され、補正された時間測定τCを形成する、この場合τC＝τO−τTである、請求項２１の方法。
【請求項２７】
前記加入者局の位置は、前記時間測定τＯと基準ソースの位置の代わりに、前記補正された時間測定τCおよび前記リピータの位置から決定される、請求項２６の方法。
【請求項２８】
前記コンポジット信号の符号定数は、加入者局に見える成分信号の数を含む、請求項１７の方法。
【請求項２９】
前記信号はすべてパイロット信号である、請求項２８の方法。
【請求項３０】
前記コンポジット信号の符号定数が、前記加入者局に見える成分信号の相対的強度を含む、請求項１７の方法。
【請求項３１】
前記コンポジット信号の符号定数は、前記加入者局に見える前記コンポジット信号の到着の前記相対的時間を含む、請求項１７の方法。
【請求項３２】
下記を具備する、リピータを採用する無線通信システム内の加入者局の位置を決定するためのシステム：
加入者局において、コンポジット信号を受信するための受信器、前記コンポジット信号は符号定数を有し、１つ以上の成分信号を具備する；
成分信号がリピータにより中継されたかどうかを前記コンポジット信号の前記符合定数から決定するプロセッサ；および
前記成分信号がリピータにより中継されたなら、前記リピータのための１つ以上の較正パラメータを得、前記リピータの前記１つ以上の較正パラメータに少なくとも一部基づいて前記加入者局の位置を決定する、エンティティ。
【請求項３３】
前記リピータのための１つ以上の較正パラメータは、前記リピータの時刻補正と前記リピータの位置を具備する、請求項３２のシステム。
【請求項３４】
前記エンティティは、メモリから前記１つ以上の較正パラメータを検索するように構成される、請求項３２のシステム。
【請求項３５】
前記エンティティは、データベースから前記１つ以上の較正パラメータを検索するように構成される、請求項３４のシステム。
【請求項３６】
前記リピータのための前記１つ以上の較正パラメータは、インデックスとして前記信号の起源送信器のためのＰＮコードを用いて前記プロセッサによりアクセス可能なデータベース内のレコードの形態である、請求項３５のシステム。
【請求項３７】
前記エンティティは前記リピータのための時刻補正を用いて前記信号から導き出された時間測定を訂正し、少なくとも一部前記リピータのための補正された時間測定および前記リピータの位置から前記加入者局の位置を決定するように構成される、請求項３３のシステム。
【請求項３８】
前記エンティティは位置決定エンティティである、請求項３３のシステム。
【請求項３９】
前記エンティティは加入者局である、請求項３３のシステム。
【請求項４０】
(１)ｍi、１＜ｉ＜４と呼んでもよい４つの異なる測定場所において得られる時間測定結果、および(２)
【数２】
2005538357.tif 000009
（但し、ｃは光速である)として表してよい４つの方程式を解くことにより、測定場所の座標（ｘi,ｙi,ｚi)、１＜ｉ＜４から（ａ）エンティティのための時刻補正τT、および(ｂ)前記エンティティの座標（ｘR,ｙR,ｚR)を決定するように構成される一連のソフトウエア命令を明白に具現化するメモリ。
【請求項４１】
前記エンティティは基地局であり、前記時間測定結果は、前記基地局により送信され、前記４つの異なる測定場所において受信される信号から導き出される、請求項４０のメモリ。
【請求項４２】
前記エンティティはリピータであり、前記時間測定結果は、起源送信器により送信され、前記測定場所において前記信号を受信する前に前記リピータにより中継される信号から導き出される、請求項４０のメモリ。
【請求項４３】
プロセッサと、請求項４１のメモリを具備するシステム、前記プロセッサは、前記メモリにより明白に具現化されるソフトウエア命令をアクセスし実行するように構成される。
【請求項４４】
下記を具備する、無線通信システムにおいて、リピータを構成する方法：
車両に、あるいはその車両の内に置かれた測定装置を備えたルートに沿って車両を運転する；
前記ルートに沿って有する複数の測定場所に連続的に遭遇する；
前記測定場所の各々において、前記装置を用いて、前記起源送信器により送信され、リピータにより中継される信号を受信する；
前記測定場所の各々において前記受信された信号から前記装置を用いて時間測定を導き出す；
前記装置に含まれるＧＰＳ受信器を用いて、システム時間基準を決定する；
前記システム時間基準を用いて前記時間測定結果を調節し、調節された時間測定結果を生成する、測定場所のための調節された時間測定は、起源送信器により信号の送信と前記測定場所の前記信号の到着との間の、システムに関する、時間を表す；
前記ＧＰＳ受信器を用いて、前記測定場所の各々の位置を決定する；および
（ａ）前記調節された時間測定結果、および(ｂ)前記測定場所の位置から前記リピータのための時刻補正および前記リピータの位置を導き出す。
【請求項４５】
下記を具備する加入局：
符号定数を有する信号を受信する受信器；
前記信号から相関関数を導き出し、前記相関関数内の１つ以上のピークを識別する相関器；
前記相関関数内のピークから時間測定を導き出し、前記信号の符号定数を解析して、前記ピークがリピータにより中継されたかどうか決定し、前記ピークがリピータにより中継された信号に相関しているかどうかの表示を供給するように構成されるプロセッサ。
【請求項４６】
下記を具備する、無線通信システムにおけるエンティティを具備する方法：
複数の異なる測定場所の各々において、起源送信器により送信され、リピータにより中継される信号を受信するためのステップ；
前記受信信号の各々から時間測定結果を導き出すステップ、各時間測定は、起源送信器による信号の送信と、測定場所における前記信号の到着との間の時間を表す；および
（ａ）時間測定結果、および（ｂ）前記測定場所の位置から、前記エンティティのための１つ以上の較正パラメータを導き出すステップ。
【請求項４７】
前記エンティティはリピータである、請求項４６の方法。
【請求項４８】
前記エンティティは基地局である、請求項４６の方法。
【請求項４９】
下記を具備する、リピータを採用する無線通信システムにおいて加入者局の位置を決定するためのシステム：
加入者局において、コンポジット信号を受信する手段、前記信号は、符号定数を有し、１つ以上の成分信号を具備する；
成分信号がリピータにより中継されたかどうかを前記コンポジット信号の符号定数から決定する手段；および
前記成分信号が前記リピータにより中継されたなら、前記リピータのための１つ以上の較正パラメータを得、前記リピータのための前記１つ以上の較正パラメータに少なくとも一部基づいて前記加入者局の位置を決定する手段。
【発明の詳細な説明】
【技術分野】
【０００１】
この出願は、この出願の譲受人に譲渡され、すべての目的のために、その全体が参照することによりここに組み込まれる、２００２年９月５日に出願された「リピータを較正するための方法およびシステム」(Method and System for Calibrating a Repeater)というタイトルの米国仮特許出願６０／４０８，６１１の利益を請求する。
【０００２】
開示された主題は、位置決定および無線通信の分野に関し、特に、リピータを採用する無線通信システムにおける位置決定に関する。
【背景技術】
【０００３】
リピータは、無線通信システムにおける受信地域を拡張するためのまたは受信地域のギャップを埋めるための柔軟で費用効率の高い方法である。さらに、リピータは、多くのパイロットの支配下にあるＣＤＭＡ受信地域内で特定のパイロットを優勢にするために使用してもよい。リピータが受信地域を追加または拡張するのに有効であると典型的に証明するエリアの例は、谷、トンネル、およびビルのような地形の変化である。すべての基地局のコストを少しでも削減するために、リピータは、新しいネットワーク並びに、定着し熟成したネットワークに使用するのに適している。
【０００４】
リピータのいくつかの実施がある。最も一般的な実施において、リピータは、図１に示すように双方向増幅器として動作する。フォワード（ダウン)リンク上で、リピータ１０４は、ドナーセル(donor cell)基地局(ＢＴＳ）１０２から送信を受信し、それを増幅し、それを加入者局(ＳＳ）１０６に送信する。ＢＴＳ１０２は、オムニステーション(omni station)またはマルチセクタセル内の１つのセルであってもよい。リバースリンク上で、ＳＳ１０６は信号をリピータ１０４に送信する。リピータ１０４は信号を増幅し、それをＢＴＳ１０２に送信する。図に示すように、リピータは、さもなければ信頼できる受信地域を持たないかもしれないエリアにおいてドナーセルと加入者局との間で信頼性のある信号を中継する。
【０００５】
ＦＣＣの指令に準じて、ＧＰＳ衛星、基地局、またはＧＰＳ衛星と基地局の組み合わせのような種々の基準ソースから受信された送信からその位置を決定する能力を加入者局に備える努力が進行中である。加入者局は、その正確な位置が周知である４つ以上の基準ソースから送信を受信する。これらの基準ソースは、システム時間に同期される。
【０００６】
次に、加入者局は、送信の各々から時間測定を導き出す。時間測定は、基準ソースと加入者局との間の見通し経路に沿って信号が移動するのに必要な時間量を表す。この時間は、一般に「伝播時間」と呼ばれる。次に、加入者局は位置測定エンティティ（ＰＤＥ）にこれらの時間測定結果を供給する。これに応答して、ＰＤＥは、（ａ）これらの時間測定結果、(ｂ)周知の光速、および(ｃ)基準ソースの周知の位置から加入者局の位置を推定する。
【０００７】
あるいは、加入者局は、この情報を用いて自分自身の位置を決定する。
【０００８】
無線通信システムにおけるリピータの存在は、位置決定プロセスをあいまいにする可能性がある。例えば、リピータの存在により、加入者局は、基地局が起源であるがリピータにより中継される送信が基地局からの見通し送信であると誤って推測するであろう危険性がある。この送信から引き出される時間測定は、基地局と加入者局との間の伝播時間を誇張するので、この時間測定に基づいた加入者局の位置の推定は、誤りであろう。
【０００９】
この問題は、図２を参照してさらに説明されるかもしれない。図示するように加入者局２１２は、ＧＰＳ衛星２０２、ＢＴＳ２０４、ＧＰＳＡ衛星２０６、およびＢＴＳ２０６から構成される４つの基準ソースから送信を受信する。ソース２０２、２０４、および２０６の送信の各々は見通し送信である。しかしながら、ＢＴＳ２０８から２つの送信が受信される。数字２１４で特定される最初の送信は、ＢＴＳ２０８から直接受信される。数字２１６で特定される第２の送信は、リピータ２１０を介して送られる。ＢＴＳ２０８からの両方の送信は、一意的にＢＴＳ２０８を特定する同じＰＮコードで変調される。リピータ２１０を介して送られた送信２１６は、送信２１４より強い、それゆえ、送信２１４に代わって、位置決定プロセスに使用するために加入者局により選択される。
【００１０】
加入者局２１２は、送信を受信すると、リピータ２１０により中継される送信２１６を、ＢＴＳ２０８からの見通し送信として誤って識別する。それゆえ、加入者局２１２は、また、この送信から引き出される時間測定を、ＢＴＳ２０８と加入者局２１２との間の伝播時間を表すものとして誤って識別する。しかしながら、この時間測定は、この伝播時間を表していないが、実際は、伝播時間を誇張している。従って、この時間測定に基づいた位置推定は、誤っているであろう。
【発明の概要】
【００１１】
無線通信システムにおいて、リピータを較正する方法が記載される。一実施形態において、方法は、いくつかの異なる測定場所の各々で信号を受信することにより始まる。各信号は起源送信器から源を発し、測定場所で受信される前にリピータにより中継される。
【００１２】
次に、時間測定結果は、信号の各々から引き出される。時間測定結果の各々は、起源送信器における信号の送信間の時間、および測定場所における信号の到着を表す。測定場所の位置は周知であるかまたは取得される。次に、リピータのための較正パラメータが、（ａ）時間測定結果および（ｂ）測定場所の位置から導き出される。
【００１３】
一実施において、リピータのための較正パラメータは、（ａ）リピータのための時刻補正、および(ｂ)リピータの位置から構成される。両方のパラメータは、４つの異なる測定場所で受信された信号から導き出された時間測定結果に対する逆三角測量手続きのアプリケーションを介して導き出される。信号はすべて同じドナー基地局に源を発し、各々の信号は、測定場所で受信される前にリピータにより中継される。
【００１４】
これらの４つの場所で導き出された時間測定結果は、ｍiと呼んでもよく、この場合、１≦ｉ≦４である。各時間測定ｍiは以下のように表すことができる。
【数３】
2005538357.tif 000003
【００１５】
但し、τ1＝起源送信器とリピータとの間のフォワードリンク遅延
τR＝リピータ自己遅延
τ2i＝リピータと測定場所ｉにおける受信器との間のフォワードリンク遅延
Δ＝システム時間と起源送信器における時刻との間のオフセット
リピータの位置が未知の座標（ｘR,ｙR,ｚR)を有し、測定場所ｉの位置は周知の座標（ｘi,ｙi,ｚi)を有していると仮定すると、時間測定ｍi間の関係、リピータの位置の座標、および測定場所ｉの位置の座標は、以下のように表してもよい。
【数４】
2005538357.tif 000004
【００１６】
但し、ｃは光速である。
【００１７】
（２）が、測定場所の各々に対して１つの割り合いで、４つの独立した方程式を表すことに留意する必要がある。これらの４つの方程式は４つの未知数に対して解決することができる。最初の３つの未知数は、リピータ（ｘR,ｙR,ｚR）の位置の座標である。
【００１８】
４番目の未知数は、リピータに関連する時刻補正τTであり、この場合、τT＝Δ＋τ1＋τRである。
【００１９】
１例において、これらの４つの方程式は次の３つの方程式を形成するために区別される：
【数５】
2005538357.tif 000005
【００２０】
方程式（３）、（４）および（５）を解くと、リピータの位置の座標（ｘR,ｙR,ｚR）を生じる。これらの座標を、方程式（２）によって表わされる４つの方程式のうちのいずれかに代入すると、時刻補正ｉTを生じる。リピータの位置およびリピータのための時刻補正は、リピータのための較正パラメータを形成する。
【００２１】
１つのアプリケーションでは、これらの較正パラメータは加入者局の位置を決定する際に後の使用のために記憶される。このアプリケーションでは、加入者局は、典型的に加入者局に見える基準情報からのいくつかの成分信号のコンポジットである信号を受信する。加入者局は成分信号のうちの１つから時間測定を引き出す。この時間測定は、基準ソースによる成分信号の送信と、加入者局における信号の到着との間の時間を表す。加入者局は、またコンポジット信号の符号定数を解析し、成分信号がリピータにより中継されたかどうかを決定する。
【００２２】
そうならば、加入者局と通信しているＰＤＥは、データベースからリピータのための較正パラメータを得る。一実施形態において、これらの較正パラメータは、リピータのための時刻補正およびリピータの位置を構成する。ＰＤＥはリピータのための時刻補正を使用して、時間測定を訂正する。従って、訂正された時間測定は、リピータと加入者局との間を信号が移動するのに必要な時間量（一般的に「伝播時間」と呼ばれる）を表す。τOがオリジナルの時間測定を指し、τTはリピータのための時刻補正を指し、τCは訂正された時間測定を指すなら、次に、ＰＤＥはτOからτTを引くことによりτCを導き出す。
【００２３】
これらの値の関係は次のように表現することができる：
τｃ＝τO−τT（６）
次に、ＰＤＥは、訂正された時間測定τCおよびリピータ位置（ｘR,ｙR,ｚR)から加入者局の位置を決定する。ＰＤＥはこれらの値を用いて、オリジナル時間測定τOおよび基準ソース位置の代わりに加入者局の位置を決定する。
【００２４】
成分信号がリピータによって中継されなかったなら、ＰＤＥは未訂正の時間測定τOおよび基準スソース位置から加入者局の場所を決定する。
【００２５】
関連するシステムも記述される。
【発明を実施するための最良の形態】
【００２６】
図の中のコンポーネントは、必ずしも増減されない。その代わり、開示された主題の原理を図解することに強調が置かれる。
【００２７】
図において、類似の参照数字が異なる図の全体にわたって対応する部分を指定する。
【００２８】
ここに使用されるように、用語「メモリ」は、プロセッサによって実行可能な一連の命令を記憶してもよい任意のプロセッサ読み出し可能な媒体を指し、ＲＡＭ、ＲＯＭ，ＥＰＲＯＭ、ＰＲＯＭ、ＥＥＰＲＯＭ、ディスク、フロッピー(登録商標)ディスク、ハードディスク、ＣＤ−ＲＯＭ、ＤＶＤ、等を含むがこれらに限定されない。
【００２９】
用語「プロセッサ」は、一連のソフトウェア命令を実行することができる任意の装置を指し、制限なしで、汎用または専用マイクロプロセッサー、有限ステートマシン、コントローラー、コンピューター、またはデジタルシグナルプロセッサ含む。
【００３０】
図３Ａは、無線通信システムにおいて、リピータを較正する方法の一実施形態のフローチャートである。ステップ３０２において、リピータによって中継された信号は、複数の異なる測定場所で受信される。ステップ３０４はステップ３０２に続く。ステップ３０４において、時間測定は測定場所の各々から派生する。各時間測定は、起源送信器による信号の送信と、測定場所における信号の到着との間の時間（一般的に「伝播時間」と呼ばれる)を表す。
【００３１】
ステップ３０４から、方法はステップ３０６に進む。ステップ３０６において、リピータのための１つ以上の較正パラメータは、（ａ）時間測定結果および（ｂ）測定場所の位置から引き出される。
【００３２】
この方法は、図４Ａを参照してさらに説明される。図４Ａは、基地局４０２からの信号が送信媒体４０６を介してリピータ４０４に送信される無線通信システムの一例を図解する。送信媒体４０６は、送信器４０２から信号を送信することができる任意の媒体であり、一例として限定されるものではないが、光ファイバー、一般的な有線リンク、または無線リンクを含む。
【００３３】
リピータは、信号を受信し、それを増幅し、それを無線通信リンク上に再送信する。
【００３４】
リピータ４０４は、測定場所４０８ａ、４０８ｂ、４０８ｃおよび４０８ｄを含む受信地域上に信号を再送信する。測定場所の各々における測定装置（図示せず)は、基地局４０２により送信されおよびリピータ４０４により中継された信号を受信する。次に、装置は、受信した信号から時間測定結果を引き出す。時間測定結果は、基地局４０２による信号の送信と、測定場所における信号の到着との間で経過した時間を表す。これらの時間測定結果はリピータ自身の遅延およびドナー基地局／リピータフォワードリンク遅延を含む。
【００３５】
従って、図４Ａにおいて、測定場所４０８ａにおいて引き出される時間測定は、基地局４０２による信号の送信と、測定場所４０８ａにおける信号の到着との間の時間を表す。同様に、測定場所４０８ｂで派生した時間測定は、基地局４０２による信号の送信と、測定場所４０８ｂにおける信号の到着との間の時間を表す。同じことは、測定場所４０８ｃおよび４０８ｄに当てはまる。
【００３６】
一例において、リピータによって中継された信号は、ＣＤＭＡ無線通信システム内の基地局に源を発するパイロット信号である。パイロット信号は、パイロット信号を発した基地局を一意的に識別する、繰り返すＰＮコードで変調されたキャリア信号から構成される。測定場所に位置する測定装置は、最初にＣＤＭＡシステムのパイロットチャネルに同調し、基地局により送信されているパイロット信号を取得することを試みる。
【００３７】
測定装置は、コード位相シフト仮説およびドップラー周波数シフト仮説の範囲にわたって、ドナー基地局のためのＰＮコードで受信信号を相互に関連づけることにより信号を取得しようと試みる。各相関はＮCとＭの積である、積分時間Ｉにわたって実行される。但し、ＮCはコヒーレント積分時間であり、Ｍは、相関値を形成するために非コヒーレントに結合されるコヒーレント積分の数である。
【００３８】
従って、装置は、リピータによる見通し送信に相当する相関関数のピークを見つける。１つの実施では、ドナー基地局のＰＮコードは周知であり、測定場所は、ドナー基地局からの見通し送信が測定装置において検出できないドナー基地局から十分に離れて位置する。従って、相関関数内の最も早い「非サイドローブ」ピークはリピータからの見通し送信を表す。サイドローブは、他の相対的により大きなピークに接近して、または関連して、生じる相対的に小さなピークであることは当業者により理解されるであろう。
【００３９】
装置は、相関関数のコード位相次元に沿った初期の非サイドローブピークの場所から時間測定を引き出す。システム時間基準は、装置に含まれたＧＰＳ受信器から得られる。システム時間基準は、時間測定がシステム時間の期間内あるように、時間測定を調節するために使用される。
【００４０】
測定場所の位置は、装置に含まれるＧＰＳ受信器によって引き出される。次に、測定場所の時間測定結果および位置は位置決定エンティティ（ＰＤＥ）に供給される。ＰＤＥは、この情報に応答するリピータ４０４のための較正パラメータを決定する。あるいは、加入者局は独自の較正パラメータを決定する、または訂正されたデータは後に較正パラメータを決定するためのさらなる処理のために記憶される。
【００４１】
１つの実施において、リピータ４０４のための較正パラメータは、リピータのための時刻補正およびリピータの位置を含む。この実施において、逆三角測量手続きは、４つの異なる測定場所で得られた時間測定結果からリピータのための時刻補正およびリピータの位置を引き出すために使用される。これらの４つの時間測定結果はｍiと呼んでもよい、１≦ｉ≦４。対応する測定場所の位置は（ｘi,ｙi,ｚi）と呼んでもよい、１≦ｉ≦４。
【００４２】
時間測定の各々は、起源送信器による信号の送信と、測定場所における信号の到着との間の時間を表す。含まれるものは、リピータ自身の遅延およびドナー基地局／リピータのフォワードリンク遅延である。したがって、図６において、時間測定ｍiは、送信の時間６０２と到着の時間６０４との間の時間であり、以下にように表すことができる。
【００４３】
ｍi＝Δ＋τ1＋τR＋τ2i            (７)
但し、Δ＝システム時間と起源（ドナー)送信器との間のオフセット
τ1＝起源送信器とリピータとの間のフォワードリンク遅延
τR＝リピータ自身の遅延
τ2i＝測定場所ｉにおけるリピータと受信器との間のフォワードリンク遅延
リピータの位置が未知の座標（xR,ｙR,ｚR）を有すると仮定すると、時間測定ｍi、リピータ位置の座標、および測定場所ｉの位置の座標との間の関係は、以下のように表してもよい：
【数６】
2005538357.tif 000006
【００４４】
ここでｃは光速である。
【００４５】
（８）が、測定場所の各々に対して１つの割り合いで４つの別個の方程式を表わすことに留意する必要がある。これらの４つの方程式は４つの未知数に対して解くことができる。
【００４６】
これらの４つの未知数は、リピータの位置の座標（ｘR,ｙR,ｚR）、およびリピータに関連した時刻補正τTから構成される。但し、τT＝Δ＋τ1＋τRである。
【００４７】
１つの実施例において、これらの４つの方程式は次の３つの方程式を形成するために区別される：
【数７】
2005538357.tif 000007
【００４８】
方程式（９）、（１０）および（１１）を解くことは、リピータの場所の座標（ｘR,ｙR,ｚR)を生じる。これらの座標を方程式(８)により表される４つの方程式のいずれかに代入すると時刻補正τTを生じる。
【００４９】
リピータのための時刻補正τTは、上述の方法を介して、その構成要素に分解することはできない。しかしながら、位置決定の観点から、これは問題にはならない。なぜなら、このパラメータを正確な位置決定のために構成要素に分解する必要が無いからである。
【００５０】
方程式(８)への入力を形成する時間測定結果ｍi、１≦ｉ≦４および位置（ｘi,ｙi,ｚi）、１≦ｉ≦４を収集する多数の方法が可能である。
【００５１】
図４Ｂに図解する一実施形態において、車両は経路４２０に沿って運転される。
【００５２】
測定場所４０８ａ、４０８ｂ、４０８ｃおよび４０８ｄは、経路４２０に沿って位置する任意の場所である。これらの測定場所の位置は演繹的に知られていない。
【００５３】
測定装置（図示せず）は車両に伴う。装置はＧＰＳ受信器を含んでいる。車両が経路４２０に沿って運転されるとともに、測定場所の各々が連続的に遭遇される。時間測定は個々のそのような測定場所における測定装置によって導き出される。さらに、システム時間基準および各測定場所の位置は、装置に含まれたＧＰＳ受信器から得られる。システム時間基準を用いて時間測定結果を調節する。従って、時間測定結果は、システム時間の期間内にある。
【００５４】
図４Ｃに図解される第２の実施形態において、複数の加入者局４２２ａ、４２２ｂ、４２２ｃおよび４２２ｄは、分散した測定場所４０８ａ、４０８ｂ、４０８ｃおよび４０８ｄに位置している。システム時間基準は、加入者局にあるＧＰＳ受信器から導き出される。
【００５５】
さらに、測定場所の位置はＧＰＳ受信器から得られる。時間測定はリピータによって中継された信号から、加入者局によって導き出される。場所のための時間測定はシステム時間基準によって調節される。したがって、それはシステム時間の期間である。
【００５６】
第３の実施形態において、測定場所の位置はあらかじめ決められており、従って前もって知られている。固定測定装置が測定場所の各々に取り付けられる。各装置は、リピータにより中継される信号から時間測定を決定する。システム時間基準が得られ、較正プロセスにおいて使用される時間測定を調節するために使用される。
【００５７】
図３Ａの方法は無線通信システムにおいて複数のリピータを較正するために適用してもよい。図５は、このプロセスの例を示す。測定場所５０６ａ（１）、５０６ｂ（１）、５０６ｃ（１）および５０６ｄ（１）の各々に対する時間測定結果と位置情報を用いてリピータ５０４ａを較正する。同様に、測定場所５０６ａ（２）、５０６ｂ（２）、５０６ｃ（２）および５０６ｄ（２）の各々に対する時間測定結果と位置情報を用いてリピータ５０４ｂを較正する。
【００５８】
図５に図解する特定の例において、リピータ５０４ａを較正するために使用される測定場所５０６ａ(１)、５０６ｂ(１)、５０６ｃ(１)、および５０６ｄ(１)と、リピータ５０４ｂを較正するために使用される測定場所５０６ａ(２)、５０６ｂ(２)、５０６ｃ(２)、および５０６ｄ(２)との間にオーバーラップが無いことに留意する必要がある。しかしながら、これらの場所に完全なまたは部分的なオーバーラップがある実施形態も可能であることが理解されるべきである。さらに、基地局５０４ａ、５０４ｂから発せられるパイロット信号は、異なるＰＮコードで変調されるので、両方の信号のための時間測定は、単一の測定場所に位置する同じ測定装置により導き出すことができる。
【００５９】
図３Ａに戻ると、任意のステップ３０８において、１つ以上の較正パラメータが、加入者局の位置を決定する際に、その後の使用のために記憶される。１つの実施において、１つ以上の較正パラメータはリピータのための時刻補正とリピータの位置から構成される。
【００６０】
これらの２つの値は、ドナー基地局のＰＮコードによってインデックスを付けられるデータベースレコードとして具現化される。同様のレコードは、ネットワーク内のすべてのリピータのためのデータベースの中に存在する。レコードの各々は、対応するドナー基地局のためのＰＮコードでインデックスを付けられる。結果は、較正手続きが行なわれるごとに更新されるネットワーク内のすべてのリピータのための暦である。暦が最新であることを保証するために、較正手続きは望ましくは、周期的にまたはリピータの追加のような変化がネットワークに成されるごとに実行される。１つの実施形態では、データベースは、加入者局の位置を決定するＰＤＥにアクセス可能である。他の実施例では、データベースは、自分の位置を決定する加入者局にアクセス可能である。
【００６１】
図７Ａは、リピータを採用する無線通信システム内の加入者局の場所を決定する方法の一実施形態を図解する。
【００６２】
方法はステップ７０２から始まる。ステップ７０２は受信される信号から時間測定を導き出すことから成る。受信される信号は、一般に受信器に見える基準ソースによって送信されたいくつかの成分信号の合成物であるが、単一の成分のみから構成することができる。時間測定は、対応する基準ソースにより成分信号の１つの送信と、受信器における信号の到着との間の時間を表す。
【００６３】
ステップ７０２から、方法はステップ７０４に進む。ステップ７０４において、方法は、合成信号の「符号定数」を解析し、成分信号がリピータにより中継されたかどうかを決定する。
【００６４】
一般に、合成信号の「符号定数」は、（ａ）受信器に見える成分信号の数、（ｂ）各成分の特性、（ｃ）これらの信号の相対的強度、および（ｄ）これらの信号の相対的遅延から成る。合成信号の「符号定数」は、望ましくは、リピータが合成信号を中継したかどうかを決定するために十分な情報を伝達する。
【００６５】
１つの実施では、成分信号はパイロット信号である。また、成分信号の「符号定数」は下記のものを含む：
（１）  受信器に見えるパイロット信号の合計数、（２）各パイロット信号の特性、（３）それらの相対的な信号強度、および（４）受信器における到着の相対的な時間。受信器における他のパイロットの検出は、一般に受信信号の直接のソースとして一般的にドナーセルを識別する。他方、受信器において任意の他のパイロットの欠如は、一般的に成分信号の直接のソースとしてリピータを識別する。他のセルからのパイロットのあるパターン、それらの相対的な信号強度および到着の時間は、特定のリピータを除外するかあるいは特定のリピータを識別するために使用することができる。
【００６６】
例えば、ドナーセルとリピータの間の受信エリアには重複があり、受信器が重複のこのエリア内にある場合、ドナーセルから直接受信された見通し（ＬＯＳ）信号、およびリピータによって中継された信号は、同じＰＮコードで特徴づけられる。従って、両方の信号は相関関数にピークを生じさせるだろう。どちらの信号もマルチ経路に従わなければ、リビータによる相関関数内のピークはＬＯＳ信号による相関関数内のピークに対して遅れるであろう。従ってリピータから生じたピークは、この相対的な遅延に基づいて識別することができる。
【００６７】
第２の例として、ドナーセルからのＬＯＳ信号がマルチ経路に従う場合、マルチパスによるピークをリピータによるピークと区別することは難しいかもしれない。しかしながら、このあいまいさは、リピータを介した送信による遅延がＲＦ環境により生成される任意のマルチパスに関連する遅延を保証することにより設計および配備フェーズの期間中に解決することができる。この場合、リビータは、マルチパスによるピークを超えて遅延されるピークの形態で相関関数内に符号定数足跡を残すであろう。
【００６８】
第３の例として、問題になっているＰＮコードのための相関関数に単一のピークのみがあり、他のパイロットは、受信器に見えないなら、受信器は、リピータにより中継される信号にのみアクセス可能なエリアにあると保証することができる。それゆえ、問題になっているＰＮコードにおける単一ピークはリピータによると仮定することができる。
【００６９】
第４の例として、特定のＰＮコードのための較正パラメータを用いて、リピータが特定の成分信号を中継したかどうかを決定することができる。さらに具体的に言うと、ＰＮコードのための時刻補正τTがこの時刻補正を用いて導き出された訂正された時間測定を大幅に超えるなら、リピータは、成分信号を中継したと仮定することができる。
【００７０】
図７Ａに戻ると、方法は、ステップ７０４からステップ７０６に進む。ステップ７０６において、リピータが成分信号を中継したかどうか問い合わせを行う。そうならば、ステップ７０８が実行される。ステップ７０８において、方法は、リピータのための１つ以上の較正パラメータを得ることから構成される。１つの実施において、このステップは、データベースから所定の較正パラメータを検索することから構成される。一例において、これらの値は、データベースへのインデックスとして、ドナーセルのＰＮコードを用いてデータベースレコードからこれらのパラメータを検索することにより得られる。第２の実施において、このステップは、これらのパラメータを「急いで」決定することから構成される。ステップ７０８から、方法はステップ７１０に進む。ステップ７１０は、ステップ７０８で得られた１つ以上の較正パラメータから加入者局の位置を決定することから構成される。
【００７１】
ステップ７０６において、受信される信号がリピータによって中継されなかった場合、ステップ７１２が実行される。ステップ７１２において、加入者局の位置は、ステップ７０２で派生した時間測定および起源送信器の位置から決定される。
【００７２】
図７Ｂは、図７Ｂの方法の実施を図解する。ステップ７０２、７０４、７０６および７１２は、図７Ａとの関連ですでに説明した。ここでは、ステップ７２０−７２４だけが説明される。
【００７３】
ステップ７２０において、リピータの時刻補正およびリピータの位置が得られる。１つの実施において、これらのパラメータは、インデックスとしてドナーセルのＰＮコードを用いて、データベースから検索される。
【００７４】
ステップ７２０から、方法はステップ７２２に進む。ステップ７２２は、ステップ７２０で得られたリピータのための時刻補正を用いて、ステップ７１４で導き出された時間測定を訂正することから構成される。１つの実施において、このステップは時間測定τOから時刻補正τTを減算して訂正された時間測定τCを形成する。この場合、τC＝τO−τTである。
【００７５】
ステップ７２２から、方法はステップ７２４に進む。そこで、加入者局の位置は、訂正された時間測定τCおよびリピータの位置から決定される。
【００７６】
図８Ａは、無線通信システムにおけるリピータのための１つ以上のパラメータを較正するためのシステムの一実施形態を図解する。システムは、上述した方法のいずれかを介して得られる時間測定および測定場所の位置からリピータのための１つ以上の較正パラメータを決定するように構成されるプロセッサ８１０を含む。
【００７７】
１つの実施において、プロセッサはＰＤＥ内にあり、上記の（８）によって表わされる４つの方程式を解くことによりリピータの時刻補正および位置を決定するように構成される。この実施において、プロセッサ８１０は、メモリ８１２に記憶された一連の命令の形態でソフトウエアを実行することによりパラメータを導き出すように構成される。
【００７８】
１つの実施において、これらのパラメータが決定されると、プロセッサ８１０は、ドナーセルのＰＮコードを用いてインデックスが付けられた、データベース８１４内のレコードとして、パラメータを記憶するように構成される。
【００７９】
そのレコードは、図８Ｂに示すフォーマットを有する。フィールド８１６はドナーセルのＰＮコードである。フィールド８１８はリピータのための時刻補正である。フィールド８２０はリピータの位置である。
【００８０】
図９は、リピータを採用する無線通信システムに使用するのに特に適した加入者局のブロック図である。
【００８１】
プロセッサ９０２はソフトウェア命令を実行するように構成される。また、メモリ９０４はプロセッサ９０２によってアクセス可能なソフトウェア命令およびデータを保持するように構成される。
【００８２】
固定記憶装置９０６は無線通信サービスを取得するのに有効なプロビジョニング情報を保持するように構成され、ＳＩＭカードと結合した不揮発性のＥＥＰＲＯＭのようなデバイスの組合せとして実施することができる。
【００８３】
キーパッド９０８およびディスプレイ９１０は両方とも、ユーザ・インターフェースの一部として典型的に提供される。同様に、マイクロホン９１２およびスピーカー９１４は両方ともボイスを受信し送信するためのデバイスの使用を支援するために典型的に提供される。
【００８４】
無線トランシーバー（Ｔx／Ｒx）９１６は、無線通信リンクを介して情報を受信し送信するために提供される。モデム９１８は、音声またはデータのようなベースバンド情報をＲＦキャリアに変調し、変調されたＲＦキャリアを復調してベースバンド情報を得るために提供される。アンテナ９２２は変調されたＲＦキャリアを無線通信リンクを介して送信し、変調されたＲＦキャリアを無線通信リンクを介して受信するために提供される。
【００８５】
相関器９２０は、加入者局に見える種々の基準ソースにより送信されたパイロット信号の合成から成る受信信号から相関関数を導き出すために提供される。所定のＰＮコードの場合、相関器９２０は、コード位相シフト仮説の範囲にわたって、およびドップラー周波数シフト仮説の範囲にわたって、受信信号をＰＮコードと相関させることにより相関関数を導き出す。次に、相関器は、相関関数の所定数のピークを見つける。
【００８６】
プロセッサ９０２はこの情報を解析して相関関数の最も初期の非サイドローブピークを決定するように構成される。そのようなピークが検知されるなら、プロセッサ９０２は、またコード位相次元におけるこのピークの位置から時間測定を導き出すように構成される。システム時間基準が利用可能なら、プロセッサ９０２は、時間測定がシステム時間の期間内にあるようにシステム時間基準を用いて、時間基準を調節する。
【００８７】
プロセッサ９０２は、また受信信号の符号定数を解析し、ピークが、基準ソースから直接受信したパイロット信号に関連するかどうか、またはピークがリピータにより中継された信号に関連するかどうかを決定する。このプロセスは図７Ａに関連して上述した。
【００８８】
図１０は、リピータを採用する無線通信システムにおける加入者局の位置を決定するためのシステムの一例を図解する。加入者局１００２は、加入者局内の受信器に見える、複数の基準ソース１００４ａ、１００４ｂ、１００４ｃおよび１００４ｄにより送信された信号を受信する。図示するように、基準ソースは、ＢＴＳｓ，ＧＰＳ衛星またはＢＴＳｓとＧＰＳ衛星の組み合わせであってよい。
【００８９】
基準ソースの各々は、基準ソースを一意的に識別する識別コードで変調される信号を送信する。１つの実施では、識別コードは、関連する基準ソースに従って、長さあるいは周期性において異なるＰＮコードである。ＩＳ−９５に準拠したＣＤＭＡシステムの場合、ＰＮコードは、２６．６７ｍｓｅｃ毎に繰り返される３２，７６８チップのシーケンスである。現在のＧＰＳのシステムでは、ＰＮコードは１，０２３チップのシーケンスである。
【００９０】
シーケンスは、１ミリ秒ごとに繰り返される。
【００９１】
基準ソース１００４ａ、１００４ｂおよび１００４ｃにより送信された信号は、すべて加入者局１００２によって直接受信される。したがって、すべては見通し信号である。しかしながら、基地局１００４ｄによって送信された信号は、リピータ１００６によって中継される。これはドナーセル１００４ｄの見地から見通し信号ではない。
【００９２】
データベース１０１０は位置決定エンティティ（ＰＤＥ）１００８にアクセス可能である。データベース１０１０は、無線通信システムに存在するリピータの各々へのエントリーを含む。エントリーの各々は、対応するリピータの位置および対応するリピータのための時刻補正を含むレコードから成る。この情報は上述したリピータを較正する方法のいずれかを用いて導き出される。各エントリーはドナーセルのＰＮコードを使用してインデックスが付けられる。
【００９３】
加入者局１００２は、パイロット信号の各々に対して時間測定を導き出すように構成される相関器を、加入者局内のプロセッサにより実行可能な関連するソフトウエアとともに、備えている。システム時間基準が利用可能なら、加入者局１００２はこの情報を用いて、時間測定がシステム時間の期間内にあるように時間測定を調節する。あるいは、このタスクはＰＤＥ１００８により実行される。
【００９４】
次に、加入者局１００２はＰＤＥ１００８に時間測定結果を伝える。この情報を受け取ると、ＰＤＥ１００８は、パイロット信号のうちのいずれかがリピータにより中継されたかどうか決定するために合成信号の符号定数をチェックする。合成信号の直接の起源を決定するために合成信号の符号定数を解析するプロセスは、図７Ａの方法に関連して上述した。
【００９５】
リピータによって中継された信号から引き出された時間測定が存在するなら、ＰＤＥ１００８は、ドナーセルのためにＰＮコードを使用し、データベース１０１０からリピータのための較正パラメータを検索する。特に、ＰＤＥ１０１０は、リピータのための時刻補正、およびリピータの位置を含むレコードを検索する。次に、ＰＤＥは、リピータが時間測定を訂正するための時刻補正を使用する。ＰＤＥは、またドナーセルの位置の代わりにリピータの位置を使用する。ＰＤＥは、リピータにより中継される信号を含むように決定された時間測定の各々に対してこれらの調節を実行する。
【００９６】
次に、ＰＤＥは、訂正された時間測定および更新された位置を用いて、加入者局１００２の位置を決定する。この場合も先と同様に、１つの実施において、周知の三角測量手続きを用いて、加入者局１００２の位置を導き出す。一度決定されると、加入者局１００２の位置は、ＰＤＥ１００８により加入者局１００２またはその他のネットワークエンティティに通信してもよい。
【００９７】
あるいは、加入者局１００２は、加入者局１００２によってアクセス可能な、較正パラメータのデータベースを使用して、自分自身の位置を決定する。
【００９８】
開示された主題の種々の実施形態について記載したけれども、さらに多くの実施形態および実施が可能であることは、当業者には明白であろう。
【００９９】
特に、記載した方法の適用を介してリピータ以外のネットワークエンティティを較正してもよい実施形態が可能である。例えば、図１１は、基地局を較正するプロセスに適用される図３Ａの方法を図解する。図６を参照すると、基地局のための時刻補正は、システム時間と基地局において維持される時間との間のオフセットである、Δと呼ばれる成分を含むであろう。しかしτ1またはτRと呼ばれる成分は含まない。この違い以外に、基地局を較正するための手法は、リピータに関して上述した手法と同一である。
【０１００】
１つ以上の信号が、無線通信リンクを介してＢＴＳ１１０２から送信される。
【０１０１】
その送信は、測定場所１１０４ａ、１１０４ｂｂ、１１０４ｃｃ、ａｎｄ１１０４ｄを含む受信エリア上に生じる。測定場所の各々における受信器（図示せず)は、ＢＴＳ１１０２により送信される信号を受信する。
【０１０２】
時間測定は、測定場所の各々において受信される信号から導き出される。
【０１０３】
１つの実施において、時間測定は、ＢＴＳ１１０２と受信器との間の移動時間（一般に「伝播時間」と呼ばれる)を表す。したがって、図１１に図解される例において、測定場所１１０４ａにおいて導き出される時間測定は、ＢＴＳ１１０２から測定場所１１０４ａへの伝播時間を表す。同様に、測定場所１１０４ｂにおいて導き出された時間測定は、ＢＴＳ１１０２から測定場所１１０４ｂへの伝播時間を表す。同じことは、測定場所１１０４ｃおよび１１０４ｄに当てはまる。
【０１０４】
次に、ＢＴＳ１１０２のための１つ以上の較正パラメータが、時間測定および測定場所の位置に応答して決定される。１つの実施において、ＢＴＳ１１０２のための較正パラメータはＢＴＳ１１０２のための時刻補正およびＢＴＳ１１０２の位置を含む。これらのパラメータは以前に参照した方程式（８)を用いて時間測定および測定場所の位置から決定される。
【０１０５】
制限なしに、地上波システム、ネットワークベースまたは加入者局ベースの地上波システム、ＧＰＳ衛星システム、またはそれらのハイブリッドを含む、任意の位置決定システムにおいて、加入者局の位置を決定するために較正パラメータが使用される実施形態も可能である。さらに、制限なしに、ＴＡエンハンスメントまたはＲＴＤエンハンスメントがあっても無くてもＡＯＡ、ＴＯＡ、セルＩＤ、ＩＰＤＬ、ＴＡ−ＩＰＤＬまたはＯＴＤＯＡ−ＰＥ変更があっても無くても、Ｅ−ＯＴＤ、ＯＴＤＯＡ、またはＡ−ＧＰＳを含む、任意の位置決定の方法を採用してもよい。
【０１０６】
従って、この発明は添付されたクレームを除いて限定されるべきでない。
【図面の簡単な説明】
【０１０７】
【図１】図１は、基地局と加入者局との間で信号を中継する無線通信システム内の中継器の一実施形態のブロック図である。
【図２】図２は、中継器によって加入者局の位置を決定するプロセスに導入されるかもしれないあいまいさを図解するブロック図である。
【図３Ａ】図３Ａは、リピータを較正する方法の一実施形態のフローチャートである。
【図３Ｂ】図３Ｂは、リピータのための較正パラメータを記憶するためのデータベースレコードのフォーマットの一例を図解する。
【図４Ａ】図４Ａは、図３Ａの方法で採用されるかもしれない測定場所の一例を図解する。
【図４Ｂ】図４Ｂは、図３Ａの方法で採用された測定場所が乗り物によって運転されるルートに沿って位置づけられる一例を図解する。
【図４Ｃ】図４Ｃは、図３Ａの方法において採用される時間測定が複数の分散した測定場所から引き出される一例を図解する。
【図５】図５は、測定場所の異なるセットから得られた時間測定を用いて無線通信システム内の異なるリピータを較正するために使用される一例を図解する。
【図６】図６は、リピータによって中継された信号のための伝播時間測定の種々の成分を図解するタイミング図である。
【図７Ａ】図７Ａは、リピータを採用する無線通信システムにおいて加入者局の位置を決定するための方法の一実施形態のフローチャートである。
【図７Ｂ】図７Ｂは、図７Ａの方法の一実施のフローチャートである。
【図８Ａ】図８Ａは、無線通信システムにおいて、リピータを較正するためのシステムの一実施形態のブロック図である。
【図８Ｂ】図８Ｂは、リピータのために１つ以上の較正パラメータを記憶するために、図８Ａのシステムにおいて採用されるかもしれないデータベースレコードの例示フォーマットである。
【図９】図９は、リピータを採用する無線通信システムにおいて使用のために特に適した加入者局の一実施のブロック図である。
【図１０】図１０は、リピータのための１つ以上の較正パラメータがデータベースに記憶され、その後に加入者局の位置を決定するために使用される位置決定システムの一例の図である。
【図１１】図１１は、開示された主題の一実施形態に従って基地局の較正を図解する図である。
【図１】
2005538357.tif 000010
【図２】
2005538357.tif 000011
【図３Ａ】
2005538357.tif 000012
【図３Ｂ】
2005538357.tif 000013
【図４Ａ】
2005538357.tif 000014
【図４Ｂ】
2005538357.tif 000015
【図４Ｃ】
2005538357.tif 000016
【図５】
2005538357.tif 000017
【図６】
2005538357.tif 000018
【図７Ａ】
2005538357.tif 000019
【図７Ｂ】
2005538357.tif 000020
【図８Ａ】
2005538357.tif 000021
【図８Ｂ】
2005538357.tif 000022
【図９】
2005538357.tif 000023
【図１０】
2005538357.tif 000024
【図１１】
2005538357.tif 000025
【国際調査報告】
2005538357.tif 000026
2005538357.tif 000027
2005538357.tif 000028
2005538357.tif 000029
2005538357.tif 000030